(57)【要約】【課題】この発明は、良好な着用感が得られるうえ、長時間に亘り着用が可能な組立て帽子の提供を目的とする。【解決手段】本実施形態の組立て帽子１０は、着用者Ａの頭部Ａａに巻き付けられる長尺の巻付け帯２０と、巻付け帯２０における長手方向Ｘと平行する一側縁部、すなわち、巻付け帯２０の中央部２０ａにおける長手方向Ｘと直交する前後方向Ｙの前方Ｙａ側縁部に、折り曲げ罫線Ｋ１，Ｋ２を介して連設した略半円状の庇部３０と、巻付け帯２０における長手方向Ｘの両端部２０ｂ間に設けたサイズ調節部４０Ａとを備えている。巻付け帯２０と庇部３０との連設部分１２に、組立て帽子１０を着用者Ａの頭部Ａａに被せた状態において、該着用者Ａの額部Ａｂに対して密着が回避される略楕円形状の開口部５０を開口している。【選択図】図１
2015140486.tif 000002
【特許請求の範囲】
【請求項１】
着用者の頭部に巻き付けられる巻付け帯と、該巻付け帯における長手方向と平行する一側縁部に連設した庇部と、該巻付け帯の巻付け長さを着用者の頭囲サイズに合わせて可変調節するサイズ調節手段と、を備えた組立て帽子であって、
前記巻付け帯と前記庇部との連設部分に、該巻付け帯における長手方向の一側縁部に沿って谷折り可能な略直線状の折り曲げ罫線を付設し、
前記庇部に、前記略直線状の折り曲げ罫線の両端部で交わる山折り可能な略円弧状の折り曲げ罫線を付設し、
前記巻付け帯、及び前記庇部における前記着用者の額部と対向する連設部分に、該額部に対して密着が回避される密着回避部を設けた
組立て帽子。
【請求項２】
前記密着回避部を、
前記連設部分における前記略直線状の折り曲げ罫線を基準として線対称に設けた
請求項１に記載の組立て帽子。
【請求項３】
前記密着回避部を、
前記連設部分における前記略直線状の折り曲げ罫線の両端部よりも内側に設けた
請求項１又は２に記載の組立て帽子。
【請求項４】
前記密着回避部における前記庇部と対応する側の部分と、該密着回避部における前記巻付け帯と対応する側の部分とを、前記庇部と対応する側の部分と前記巻付け帯と対応する側の部分との重ね合わせが許容される幅に形成した
請求項１〜３のいずれか一つに記載の組立て帽子。
【請求項５】
前記連設部分における前記庇部と対応する側の部分と、前記巻付け帯と対応する側の部分との重ね合わせ部分に、
前記庇部と対応する側の部分と、前記巻付け帯と対応する側の部分とを互いに重ね合わせた状態に固定する重ね合わせ部固定手段を設けた
請求項１〜４のいずれか一つに記載の組立て帽子。
【請求項６】
前記密着回避部を、
前記着用者の額部に対して密着が回避される大きさ、及び形状に前記連設部分を厚み方向に開口してなる開口部で構成した
請求項１〜５のいずれか一つに記載の組立て帽子。
【発明の詳細な説明】
【技術分野】
【０００１】
この発明は、例えば、広告媒体、商品の販売、応援、景品、イベント等の用途に用いられる組立て帽子に関する。
【背景技術】
【０００２】
上述の組立て帽子としては、例えば、展開形状に切り抜いてなる１枚のシートを折り曲げて帽子形態に組み立てる折り重ね用紙製帽子が提案されている（特許文献１参照）。  
特許文献１の折り重ね用紙製帽子（以下、帽子と略称する）は、着用者の頭部に巻き付けられる庇部を有する巻付け帯と、該巻付け帯における長手方向の一側縁部に連設した複数の突出舌片とで構成され、該帽子を展開形状に切り抜いてなる１枚のシートを折り曲げて帽子形態に組み立てる。
【０００３】
上述の帽子を着用する場合、巻付け帯を着用者の頭部に巻き付けて着用するので、帽子がズレ落ちるのを防止するには、巻付け帯の裏面を着用者の額部に対してぴったりと密着させる必要がある。  
しかし、巻付け帯における着用者の額部に対して密着される部分の面積が大きく、額部に皺を寄せる等の動作が妨げられため、着用者が不快な着用感（例えば、締付け感や圧迫感等）を感じることになる。  
また、巻付け帯が着用者の額部に密着していると、額部の発汗が阻害されるだけでなく、額部の通気が妨げられるため、発汗された汗が乾きにくい。特に、晴天時や夏季において、帽子を長時間に亘り着用する場合、着用者が不快な着用感を感じるため、長時間の着用が困難である。
【先行技術文献】
【特許文献】
【０００４】
【特許文献１】登録実用新案第３００１３６０号公報
【発明の概要】
【発明が解決しようとする課題】
【０００５】
この発明は、良好な着用感が得られるうえ、長時間に亘り着用が可能な組立て帽子を提供することを目的とする。
【課題を解決するための手段】
【０００６】
この発明は、着用者の頭部に巻き付けられる巻付け帯と、該巻付け帯における長手方向と平行する一側縁部に連設した庇部と、該巻付け帯の巻付け長さを着用者の頭囲サイズに合わせて可変調節するサイズ調節手段と、を備えた組立て帽子であって、前記巻付け帯と前記庇部との連設部分に、該巻付け帯における長手方向の一側縁部に沿って谷折り可能な略直線状の折り曲げ罫線を付設し、前記庇部に、前記略直線状の折り曲げ罫線の両端部で交わる山折り可能な略円弧状の折り曲げ罫線を付設し、前記巻付け帯、及び前記庇部における前記着用者の額部と対向する連設部分に、該額部に対して密着が回避される密着回避部を設けた組立て帽子であることを特徴とする。
【０００７】
ここで、上記密着回避部は、例えば、開口部、孔部、切欠き等の回避構造で構成することができる。  
なお、着用者の額部に対する密着が回避可能であれば、上記回避構造以外の回避構造で構成してもよい。
【０００８】
サイズ調節手段は、例えば、巻付け帯の両端部に掛け渡された伸縮性を有する輪ゴム、あるいは、互いに係止される係止孔と係止片、あるいは、互いに係止される上向き切欠き部と下向き切欠き部、あるいは、ループを有する雌側テープと、フックを有する雄側テープとからなる面ファスナー等で構成することができる。
【０００９】
組立て帽子全体は、例えば、無機鉱物粉末を５０重量％以上含有するシート（ストーンペーパー）、ポリプロピレン（ＰＰ）やポリエチレンテレフタレート（ＰＥＴ）、生分解性プラスチック（ＰＬＡ）、合成紙等の単体又は複合したプラスチックシート、上述の無機鉱物粉末含有シートやプラスチックシート、フィルム、厚紙、合成紙等を複合したシートで構成することができる。  
なお、シートの肉厚は、例えば、０．１５ｍｍ〜０．５ｍｍの範囲に含まれる肉厚に設定することができる。
【００１０】
この発明によれば、良好な着用感が得られるうえ、長時間に亘り着用することができる。  
詳述すると、本実施形態の組立て帽子を着用する際、巻付け帯を、着用者の頭部に対して巻き付けが許容される状態に湾曲するとともに、庇部を前方から見て略弧状となるように変形させる。
【００１１】
巻付け帯の変形により、密着回避部における庇部と対応する側の部分を、該密着回避部における巻付け帯と対応する側の部分に対して重ね合わされる方向へ引き寄せるとともに、該庇部と対応する側の部分と、巻付け帯と対応する側の部分とを互いに重ね合わせて、所望の帽子形態に組み立てる。
【００１２】
組立て後、サイズ調節手段により巻付け帯の巻付け長さを着用者の頭囲サイズに合わせて可変調節した後、巻付け帯を着用者の頭部に巻き付けることにより、組立て帽子を着用することができる。
【００１３】
組立て帽子を着用者の頭部に被せる場合、巻付け帯、及び庇部における密着回避部を、着用者の額部と対向させて着用することにより、密着回避部と対応する面積分だけ、着用者の額部に対する密着が回避される。
【００１４】
これにより、組立て帽子における着用者の額部に対して密着される部分の面積が、密着回避部と対応する面積分だけ減少するので、組立て帽子における着用者の額部と対向する部分全体が、該額部に対して密着されることを防止できる。
【００１５】
この結果、組立て帽子を着用した際、着用者が不快な着用感（例えば、締付け感や圧迫感等）を感じることがなく、良好な着用感が得られる。  
しかも、密着回避部と対応する面積分だけ、着用者の額部が外部に向けて露出されるので、額部における密着が回避された部分の通気性が向上するとともに、額部に発汗された汗が乾きやすくなる。このため、組立て帽子を長時間に亘り着用することができる。
【００１６】
さらに、上述の開口部を除いて、巻付け帯における庇部を連結した部分の裏面側が、着用者の額部に対してぴったりと密着されるため、組立て帽子のズレ落ちを防止するのに必要な接触抵抗を確保することができるうえ、組立て帽子の着用状態を保つことができる。
【００１７】
組立て帽子の具体的な使用例として、例えば、野球やサッカー等の試合に参加する複数の学校が応援用のグッズとして使用することができる。  
また、巻付け帯の長手方向に延びる長さと、庇部の前方に突出する突出寸法は、着用者の頭部サイズに応じてある程度自由に変更することができる。  
例えば、庇部を、透光性を有するシートにて構成する場合、ブルーやブラウン等の所望する色合いに着色したシートを用いることより、日除け効果と透視効果とを相乗して得ることができる。
【００１８】
この発明の態様として、前記密着回避部を、前記連設部分における前記略直線状の折り曲げ罫線を基準として線対称に設けることができる。  
この発明によれば、組立て帽子の着用時において、着用者の額部に対して密着が回避される部分を確実に確保することができる。
【００１９】
詳述すると、密着回避部における庇部と対応する側の部分と、該密着回避部における巻付け帯と対応する側の部分とを、略直線状の折り曲げ罫線を基準として線対称に重ね合わせることにより、密着回避部が、巻付け帯、及び庇部の連設部分に対して線対称に形成される。
【００２０】
組立て帽子を着用する際、巻付け帯、及び庇部の連設部分に設けた密着回避部を、着用者の額部と対向させて着用することにより、巻付け帯側における密着回避部の略半分に相当する面積分だけ、着用者の額部に対する密着が確実に回避される。  
この結果、着用者の額部に対する密着を確実に回避することができるうえ、良好な通気性を確実に得ることができる。
【００２１】
また、この発明の態様として、前記密着回避部を、前記連設部分における前記略直線状の折り曲げ罫線の両端部よりも内側に設けることができる。  
この発明によれば、組立て帽子の着用時において、着用者の額部に対して密着が回避される部分をより確実に確保することができる。
【００２２】
詳述すると、組立て帽子を着用する際、巻付け帯、及び庇部の連設部分における略直線状の折り曲げ罫線の両端部よりも内側に設けた密着回避部を、着用者の額部と対向させて着用することにより、着用者の額部に対して密着が回避される部分を、該額部と対向する部分に確保することができる。  
この結果、着用者の額部に対する密着をより確実に回避することができるうえ、良好な通気性をより確実に得ることができる。
【００２３】
また、この発明の態様として、前記密着回避部における前記庇部と対応する側の部分と、該密着回避部における前記巻付け帯と対応する側の部分とを、前記庇部と対応する側の部分と前記巻付け帯と対応する側の部分との重ね合わせが許容される幅に形成することができる。
【００２４】
この発明によれば、組立て帽子の着用時において、着用者の額部と対向する部分に、該額部に対して密着が回避される部分をより確実に確保することができる。
【００２５】
詳述すると、巻付け帯、及び庇部の連設部分に設けた密着回避部における庇部と対応する側の部分と巻付け帯と対応する側の部分とを互いに重ね合わせて、該庇部と対応する側の部分、及び巻付け帯と対応する側の部分にて囲まれた密着回避部を、着用者の額部と対向させて着用することにより、着用者の額部に対して密着が回避される密着回避部を、該額部と対向する部分に確保することができる。
【００２６】
この結果、着用者の額部に対する密着を、該額部と対向する密着回避部にてより確実に回避することができるうえ、良好な通気性を、該額部と対向する密着回避部にてより確実に得ることができる。
【００２７】
しかも、巻付け帯、及び庇部における連設部分に設けた密着回避部を除いて、巻付け帯における庇部を連設した連設部分の裏面側が、着用者の額部に対してぴったりと密着されるため、組立て帽子のズレ落ちを防止するのに必要な接触抵抗を確保することができるうえ、組立て帽子の着用状態を保つことができる。
【００２８】
また、この発明の態様として、前記連設部分における前記庇部と対応する側の部分と、前記巻付け帯と対応する側の部分との重ね合わせ部分に、前記庇部と対応する側の部分と、前記巻付け帯と対応する側の部分とを互いに重ね合わせた状態に固定する重ね合わせ部固定手段を設けることができる。
【００２９】
ここで、上記重ね合わせ部固定手段は、例えば、重ね合わせ部分の一方に設けた被嵌合部と、他方に設けた被係止部を係止する係止部で構成するか、あるいは、接着剤、両面粘着テープ、止め具（具体的には、ホッチキス針）等で構成することができる。
【００３０】
この発明によれば、組立て帽子を、所望の帽子形態に組み立てた状態に保つことができる。  
詳述すると、本実施形態の組立て帽子を帽子形態に組み立てる際、密着回避部における庇部と対応する側の部分と、巻付け帯と対応する側の部分とを互いに重ね合わせた後、重ね合わせ部固定手段により庇部と対応する側の部分と、巻付け帯と対応する側の部分とを重ね合わせた状態に固定する。
【００３１】
これにより、組立て済みの組立て帽子を被る際、庇部と対応する側の部分と、巻付け帯と対応する側の部分との重ね合わせ部分が離間することを防止でき、所望の帽子形態に組み立てた状態を保つことができる。  
この結果、組立て帽子が被りやすく、所望の被りやすい帽子形態に保ったまま着用することができる。
【００３２】
また、この発明の態様として、前記密着回避部を、前記着用者の額部に対して密着が回避される大きさ、及び形状に前記連設部分を厚み方向に開口してなる開口部で構成することができる。
【００３３】
ここで、上記開口部は、例えば、略楕円形、略矩形、略雲形等の所望する開口形状で構成することができる。  
なお、連設部分の厚み方向に通気可能であれば、上記開口形状以外の開口形状に開口してもよい。
【００３４】
この発明によれば、組立て帽子の着用時において、着用者の額部に対して密着が回避される部分を、開口部と対応する大きさ、及び形状だけ確実に確保することができる。  
詳述すると、組立て帽子を着用する際、巻付け帯、及び庇部の連設部分に開口した開口部を、着用者の額部と対向させて着用することにより、開口部と対応する大きさ、及び形状の開口面積分だけ、巻付け帯、及び庇部の連設部分と、着用者の額部との密着面積が減少する。
【００３５】
この結果、開口部と対応する大きさ、及び形状だけ、着用者における額部の露出が許容されるので、額部における密着が回避された露出部分の通気性が向上するとともに、額部に発汗された汗が乾きやすくなる。  
しかも、良好な着用感がより確実に得られるうえ、より良好な通気性が得られる開口部を、額部と対向する部分に確実に確保することができる。
【発明の効果】
【００３６】
この発明によれば、良好な着用感が得られるうえ、長時間に亘り着用が可能な組立て帽子を提供することができる。
【図面の簡単な説明】
【００３７】
【図１】本実施形態の組立て帽子を帽子形態に組み立てた状態の斜視図。
【図２】図１に示す組立て帽子の平面図。
【図３】組立て帽子の展開状態を示す平面図。
【図４】組立て帽子のサイズ調節手段を示す拡大図。
【図５】他の例の組立て帽子の展開状態を示す平面図。
【図６】その他の例の組立て帽子の展開状態を示す平面図。
【図７】その他の例の組立て帽子の展開状態を示す平面図。
【図８】他の例のサイズ調節手段を示す拡大図。
【図９】その他の例のサイズ調節手段を示す拡大図。
【図１０】その他の例のサイズ調節手段を示す拡大図。
【図１１】さらに他の例の巻付け帯と庇部との重ね合わせ部分を固定した組立て帽子の斜視図。
【発明を実施するための形態】
【００３８】
この発明の一実施形態を以下図面に基づいて詳述する。  
図１は本実施形態の組立て帽子１０を帽子形態に組み立てた状態の斜視図、図２は図１に示す組立て帽子１０の平面図、図３は組立て帽子１０の展開状態を示す平面図、図４は組立て帽子１０の巻付け長さを可変調節するサイズ調節部４０Ａを示す拡大図である。
【００３９】
本実施形態の組立て帽子１０は、０．４ｍｍの肉厚に形成した無機鉱物粉末含有シート（ストーンペーパー）を、図示しないトムソン型の型抜き機にて展開形状に切り抜いて形成した帽子本体１１と、帽子本体１１における着用者Ａの頭部Ａａに巻き付けられる長尺の巻付け帯２０と、巻付け帯２０における長手方向Ｘと平行する一側縁部に連設した略半円状（又は略弧状）の庇部３０と、巻付け帯２０における長手方向Ｘの両端部２０ｂ間に設けたサイズ調節部４０Ａと、で構成している（図１〜図３参照）。
【００４０】
帽子本体１１は、該帽子本体１１における長手方向Ｘと直交する前後方向Ｙの後方Ｙｂ側に配置した巻付け帯２０と、該前後方向Ｙの前方Ｙａ側に配置した庇部３０とを一体に形成している。
【００４１】
なお、上述の長手方向Ｘとは、巻付け帯２０の全長と一致する方向であり、長手方向Ｘと直交する前後方向Ｙとは、長手方向Ｘに対して平面方向において直交する方向である（図３参照）。  
前後方向Ｙとは、巻付け帯２０に対する庇部３０の側を前方Ｙａとし、逆に、庇部３０に対する巻付け帯２０の側を後方Ｙｂとしている。
【００４２】
巻付け帯２０は、該巻付け帯２０の長手方向Ｘに延びる帯部２０１を、該巻付け帯２０における長手方向Ｘの中央部２０ａと、長手方向Ｘの両端部２０ｂとの間に対して一体に形成している。  
巻付け帯２０における長手方向Ｘの中央部２０ａは幅広に形成している。帯部２０１は、長手方向Ｘの中央部２０ａから長手方向Ｘの両端部２０ｂに向けて徐々に幅狭となるように形成している。
【００４３】
庇部３０は、巻付け帯２０における中央部２０ａの長手方向Ｘと平行する一側縁部、すなわち、中央部２０ａにおける長手方向Ｘと直交する前後方向Ｙの前方Ｙａ側縁部に、折り曲げ罫線Ｋ１，Ｋ２を介して折り曲げ可能に連設している。
【００４４】
巻付け帯２０と庇部３０との連設部分１２（あるいは、折り曲げ部分）には、中央部２０ａの前方Ｙａ側縁部に沿って谷折り可能な略直線状の折り曲げ罫線Ｋ１を付設している。  
庇部３０における後方Ｙｂ側縁部には、上述の折り曲げ罫線Ｋ１の両端部で交わるとともに、該庇部３０の前方Ｙａ側に向けて突出する山折り可能な略弧状の折り曲げ罫線Ｋ２を付設している。
【００４５】
巻付け帯２０における連設部分１２の長手方向Ｘの中央部２０ａには、組立て帽子１０を着用者Ａの頭部Ａａに被せた状態において、該額部Ａｂに対して密着が回避される略楕円形状の開口部５０を開口している。  
開口部５０は、巻付け帯２０と庇部３０との連設部分１２に対してシートの厚み方向に貫通して形成している。
【００４６】
巻付け帯２０と庇部３０との連設部分１２に付設した折り曲げ罫線Ｋ１を基準として、該巻付け帯２０と庇部３０とに跨って線対称に形成するとともに、折り曲げ罫線Ｋ１の両端部よりも内側に形成している。
【００４７】
開口部５０における庇部３０側の縁部と、該開口部５０における巻付け帯２０側の縁部とを重ね合わせが許容される幅だけ残している。  
すなわち、開口部５０における前後方向Ｙの前方Ｙａ側と対応する前側開口縁部５０ａと、該開口部５０における前後方向Ｙの後方Ｙｂ側と対応する後側開口縁部５０ｂとを、該前側開口縁部５０ａと後側開口縁部５０ｂとの重ね合わせが許容される幅だけ約１０ｍｍ〜約３０ｍｍ程度残している。
【００４８】
さらに、開口部５０の前側開口縁部５０ａを、折り曲げ罫線Ｋ２よりも折り曲げ罫線Ｋ１寄りに形成するとともに、該折り曲げ罫線Ｋ２に沿って下向きに折り曲げ許容される幅だけ残している。
【００４９】
上述の組立て帽子１０を帽子形態に組み立てる場合、巻付け帯２０を裏面側が内側となる状態（弧状）に湾曲するか、該巻付け帯２０を着用者Ａの頭部Ａａに巻き付けるなどして、巻付け帯２０を湾曲した状態に変形することにより、略直線状の折り曲げ罫線Ｋ１が谷折り状態に折り曲げられ、略弧状の折り曲げ罫線Ｋ２が山折り状態に折り曲げられる。
【００５０】
巻付け帯２０を上述のように変形すると、庇部３０が、前方から見て略弧状となるように変形されるとともに、該庇部３０における開口部５０の前側開口縁部５０ａが折り曲げ罫線Ｋ２に沿って下向きに折り曲げられる。
【００５１】
さらに、庇部３０における下向きに折り曲げた開口部５０の前側開口縁部５０ａが、巻付け帯２０における開口部５０の後側開口縁部５０ｂに対して重ね合わされる方向に引き寄せられるとともに、巻付け帯２０における開口部５０の後側開口縁部５０ｂに対して前方から密着した状態に重ね合わされる。  
これにより、組立て帽子１０を、所望の帽子形態に組み立てることができる（図１、図２参照）。
【００５２】
庇部３０における下向きに折り曲げた開口部５０の前側開口縁部５０ａを、巻付け帯２０における開口部５０の後側開口縁部５０ｂに重ね合わせるため、庇部３０全体の剛性が高くなり、庇部３０が下方に傾くことを防止できるとともに、前方Ｙａ側に向けて突出した状態を維持するのに充分な剛性を確保できる。
【００５３】
また、帽子本体１１の巻付け帯２０には、該巻付け帯２０における着用者Ａの頭部Ａａに巻き付けられる裏面と反対の表面に、該表面に沿って着用者Ａの頭囲サイズを表示する目盛り２０ｄを付設している（図４参照）。
【００５４】
巻付け帯２０を着用者Ａの頭部Ａａに巻き付ける際、巻付け帯２０に付設した目盛り２０ｄを目安にして拡縮調節すれば、必要以上に拡張することなく、着用者Ａの頭部Ａａに対して巻き付けが容易になされる巻き付け長さに調節することができる。
【００５５】
サイズ調節部４０Ａは、図２、図３、図４に示すように、帽子本体１１における巻付け帯２０の両端部２０ｂに形成したスリット状の切り込み部２０ｃと、両端部２０ｂ間に掛け渡した輪ゴム４１とで構成している。
【００５６】
図４は巻付け帯２０の巻き付け長さを調節するサイズ調節部４０Ａの拡大図であり、詳しくは、図４（ａ）は巻付け帯２０の巻き付け長さを可変調節する前の状態を示す拡大図、図４（ｂ）は巻付け帯２０の巻き付け長さを可変調節した状態を示す拡大図である。
【００５７】
切り込み部２０ｃは、巻付け帯２０における両端部２０ｂの上下縁部に該巻付け帯２０の長手方向Ｘと直交して形成している。巻付け帯２０における両端部２０ｂの切り込み部２０ｃには、輪ゴム４１の両端をそれぞれ引っ掛けている。
【００５８】
帽子本体１１を着用者Ａの頭部Ａａに巻き付ける際、帽子本体１１における巻付け帯２０の両端部２０ｂを両手で把持した後、両端部２０ｂを、輪ゴム４１の復元力に抗して離間する方向へ引っ張ることにより、その引っ張り具合に応じて輪ゴム４１が伸縮する。  
これにより、帽子本体１１における巻付け帯２０の巻き付け長さを、着用者Ａの頭囲サイズに合わせて無段階に可変調節することができる。
【００５９】
次に、上述の帽子形態に組み立てた組立て帽子１０を、着用者Ａの頭部Ａａに被せる際の手順について説明する。  
先ず、帽子本体１１における巻付け帯２０の両端部２０ｂ側を両手で把持した後、輪ゴム４１の復元力に抗して、巻付け帯２０の両端部２０ｂを離間する方向（長手方向Ｘ）へ引っ張り、巻付け帯２０の全体を、着用者Ａの頭部Ａａに対して巻き付けが許容される大きさに拡張する（図４（ｂ）参照）。
【００６０】
巻付け帯２０を拡張したまま着用者Ａの頭部Ａａに装着し、巻付け帯２０の両端から手を離せば、輪ゴム４１に蓄積された復元力によって、巻付け帯２０の両端が近接する方向へ引き寄せられるので、巻付け帯２０を、着用者Ａの頭部Ａａに対してぴったりと密着した状態に巻き付けることができる。
【００６１】
巻付け帯２０は、輪ゴム４１に蓄積された復元力によって、着用者Ａの頭部Ａａに対して巻き付けられる方向に常時付勢されているため、組立て帽子１０を、着用者Ａの頭部Ａａに着用した状態に保つことができる（図４（ａ）参照）。  
これにより、組立て帽子１０の着用時において、組立て帽子１０の位置や向きが変位することを防止でき、所望する着用状態を保つことができる。
【００６２】
上述の組立て帽子１０を着用者Ａの頭部Ａａに被せる際、帽子本体１１における巻付け帯２０、及び庇部３０の連設部分１２に開口した開口部５０を、着用者Ａの額部Ａｂと対向させて着用する。
【００６３】
これにより、巻付け帯２０側において、折り曲げ罫線Ｋ１を基準として線対称に形成した開口部５０の略半分に相当する開口面積分だけ、着用者Ａの額部Ａｂに対する密着が回避される。
【００６４】
すなわち、組立て帽子１０における着用者Ａの額部Ａｂに対して密着される部分の面積が、開口部５０の略半分に相当する開口面積分だけ減少するため、組立て帽子１０における巻付け帯２０の中央部２０ａの裏面全体が、該額部Ａｂに対して密着されることを防止できる（図１、図２参照）。
【００６５】
この結果、組立て帽子１０の着用時において、着用者Ａの額部Ａｂに対して密着が回避される部分を、該額部Ａｂと対向する部分に確実に確保することができるとともに、着用者Ａが不快な着用感（例えば、締付け感や圧迫感等）を感じることがなく、より良好な着用感が得られる。
【００６６】
しかも、開口部５０の略半分に相当する開口面積分だけ、着用者Ａの額部Ａｂが外部に向けて露出されるため、開口部５０を介して、着用者Ａの額部Ａｂに発汗された汗を外部に放出することができる。
【００６７】
これにより、着用者Ａの額部Ａｂにおける密着が回避された露出部分の通気性がより向上するとともに、額部Ａｂに発汗された汗が乾きやすくなるため、より良好な着用感が確実に得られるうえ、組立て帽子１０を長時間に亘り着用することができる。
【００６８】
さらに、巻付け帯２０、及び庇部３０における連設部分１２の開口部１０を除いて、巻付け帯２０における庇部３０を連設した長手方向Ｘの中央部２０ａの裏面側が、着用者Ａの額部Ａｂに対してぴったりと密着されるため、組立て帽子１０のズレ落ちを防止するのに必要な接触抵抗を確保することができるうえ、組立て帽子１０の着用状態を保つことができる。
【００６９】
さらに、本実施形態の組立て帽子１０は、防水性、撥水性を有する無機鉱物粉末含有シート（ストーンペーパー）で構成しているため、着用時において、着用者Ａの頭部Ａａから発汗される汗が付着するか、雨天に濡れる等しても問題なく使用することができる。
【００７０】
また、無機鉱物が５０重量％以上含まれるストーンペーパーは、燃焼時の燃焼カロリーが紙の約半分程度であり、有毒ガスを発生せず、自然環境に及ぼす影響が少ない。さらに、プラスチックシートに比較して燃焼時のＣＯ２排出量を約６０％〜約７０％削減することができるので、古くなったストーンペーパー製の組立て帽子１０を、一般ゴミとして廃棄処理することができる。
【００７１】
以下、上述のサイズ調節部４０Ａにおける他の例について説明する。この説明において、前記構成と同一または同等の部位については同一の符号を記してその詳しい説明を省略する。
【００７２】
先ず、上述の巻付け帯２０における帯部２０１の前方Ｙａ側縁部に、動物（具体的にはウサギ）の耳部に酷似する大きさ、形状、及び長さに形成した延出部２０２を連設した他の例の組立て帽子１０について説明する。  
図５は他の例の組立て帽子１０の展開状態を示す平面図である。
【００７３】
詳述すると、延出部２０２は、帯部２０１における前後方向Ｙの前方Ｙａ側縁部に対して該前方Ｙａ側に向けて連設している。  
帯部２０１と延出部２０２との連設部分１２には、前方Ｙａ側縁部に沿って前後方向Ｙに対して折り曲げ可能な折り曲げ罫線Ｋ３を付設している。
【００７４】
組立て帽子１０を着用する際、巻付け帯２０における帯部２０１に連設した延出部２０２を、折り曲げ罫線Ｋ３に沿って巻付け帯２０の長手方向Ｘと直交する前後方向Ｙへ折り曲げてから、巻付け帯２０を着用者Ａの頭部Ａａに巻き付けて着用する。
【００７５】
延出部２０２を上向きに起立した状態に折り曲げると、延出部２０２が帯部２０１の上縁部よりも上方に突出される。あるいは、延出部２０２を下向きに垂下した状態に折り曲げると、延出部２０２が帯部２０１の下縁部よりも上方に突出される。
【００７６】
このため、帯部２０１よりも上方、又は下方に突出する延出部２０２が非常に目立ちやすく、該延出部２０２を突出した組立て帽子１０に対して人の注目を引くことができる。  
この結果、図１に示す庇部３０を連設した組立て帽子１０に比べて、延出部２０２を突出した組立て帽子１０に対する注目度がより高くなるうえ、アピール度をアップさせることができる。
【００７７】
しかも、延出部２０２を上方、又は下方へ折り曲げるだけで、組立て帽子１０全体の形態を自由に変化させることができる。  
さらに、組立て帽子１０を着用する際、延出部２０２を、巻付け帯２０における帯部２０１の着用者Ａの頭部Ａａに巻き付けられる裏面側と対向する方向へ折り返して着用すれば、延出部２０２が帯部２０１と頭部Ａａとの間に挟み込まれる。
【００７８】
これにより、延出部２０２を、巻付け帯２０の長手方向Ｘと直交する前後方向Ｙへ折り曲げた状態に保つことができるうえ、組立て帽子１０の着用中において、延出部２０２が折り返す前の状態に戻ることを確実に防止でき、人の注目を引く効果が継続して得られる。
【００７９】
なお、延出部２０２は、上述の動物の耳部以外に、例えば、植物や動植の識別が可能な形状、あるいは、植物や動植の一部（具体的には植物の花、動物の手、足、耳、尻尾）等の所望する大きさ、形状、及び長さに形成することができる。
【００８０】
また、巻付け部２０、庇部３０の外向きとなる面に、例えば、応援や宣伝に関連するメッセージ、所望のキャラクタや文字、図柄、模様、風景等の表示内容を予め印刷しておいてもよく、注目度、及びアピール度をよりアップさせることができる。
【００８１】
次に、上述の巻付け帯２０における帯部２０１の後方Ｙｂ側縁部に、上述の延出部２０２と略同一の大きさ、形状、及び長さに形成した延出部２０３を斜めに連設したその他の例の組立て帽子１０について説明する。  
図６はその他の例の組立て帽子１０の展開状態を示す平面図である。
【００８２】
詳述すると、延出部２０３は、上述の折り曲げ罫線Ｋ３を介することなく、帯部２０１における前後方向Ｙの後方Ｙｂ側縁部に対して該後方Ｙｂ側に向けて一体に連設している。
【００８３】
組立て帽子１０を着用する際、巻付け帯２０を、延出部２０３が上向きとなるように保持して着用者Ａの頭部Ａａに巻き付けるだけで、巻付け帯２０における帯部２０１に連設した延出部２０３が、帯部２０１の上縁部よりも上方に所望長さ突出される。
【００８４】
このため、帯部２０１よりも上方に突出する延出部２０３が非常に目立ちやすく、該延出部２０３を突出した組立て帽子１０に対して人の注目を引くことができる。  
この結果、図１に示す庇部３０を連設した組立て帽子１０に比べて、延出部２０３を突出した組立て帽子１０に対する注目度が高く、アピール度をアップさせることができる。
【００８５】
しかも、組立て帽子１０を着用する際、延出部２０３を上方へ折り曲げるような手間が省け、巻付け帯２０を、延出部２０３が上向きとなるように保持して巻き付けるだけで、延出部２０３が上方に突出された組立て帽子１０を着用することができる。
【００８６】
なお、上述の他の例では、延出部２０２，２０３を、巻付け帯２０における一方、及び他方の帯部２０１に連設した例を説明したが、いずれか一方の帯部２０１に連設してもよい。
【００８７】
次に、上述の巻付け帯２０における一方、及び他方の帯部２０１の前方Ｙａ側縁部に、上下逆転略Ｕ字状に形成した延出部２０４を連設したその他の例の組立て帽子１０について説明する。  
図７はその他の例の組立て帽子１０の展開状態を示す平面図である。
【００８８】
詳述すると、延出部２０４は、組立て帽子１０を展開した状態において、平面から見て上下逆転略Ｕ字状に形成するとともに、巻付け帯２０の中央部２０ａに連設した庇部３０よりも大きく、該庇部３０を跨ぐことが可能な大きさ、形状、及び長さに形成している。  
延出部２０４の両端部は、折り曲げ罫線Ｋ３を介して、巻付け帯２０における一方、及び他方の帯部２０１の同一側の前方Ｙａ側縁部に対して折り曲げ可能に連設している。
【００８９】
組立て帽子１０を着用する際、巻付け帯２０における帯部２０１に連設した上下逆転略Ｕ字状の延出部２０４を、折り曲げ罫線Ｋ３に沿って巻付け帯２０の長手方向Ｘと直交する前後方向Ｙへ折り曲げてから、巻付け帯２０を着用者Ａの頭部Ａａに巻き付けて着用する。  
延出部２０４を上向きに起立した状態に折り曲げると、延出部２０４が帯部２０１の上縁部よりも上方に突出され、着用者Ａの頭部Ａａを跨ぐように起立することができる。
【００９０】
これにより、帯部２０１よりも上方に突出した上下逆転略Ｕ字状の延出部２０４が非常に目立ちやすく、該延出部２０４を突出した組立て帽子１０に対して人の注目を引くことができる。  
また、延出部２０４を下向きに垂下した状態に折り曲げると、延出部２０４が帯部２０１の下縁部よりも下方に突出されるため、上下逆転略Ｕ字状の延出部２０４が非常に目立ちやすい。
【００９１】
この結果、図１に示す庇部３０を連設した組立て帽子１０、あるいは延出部２０２、２０３を突出した組立て帽子１０に比べて、上下逆転略Ｕ字状の延出部２０４を突出した組立て帽子１０に対する注目度がより高く、アピール度をよりアップさせることができる。
【００９２】
しかも、上述の延出部２０２、２０３に比べて、上下逆転略Ｕ字状を有する延出部２０４の面積が大きく、着用者Ａの頭部Ａａを跨ぐように起立するため、注目度をより一層高めることができる。
【００９３】
なお、延出部２０４を、巻付け帯２０における一方、及び他方の帯部２０１の後方Ｙｂ側縁部に対して、上述の折り曲げ罫線Ｋ３を介して折り曲げ可能に連設するか、あるいは、該折り曲げ罫線Ｋ３を介することなく一体に連設してもよい。
【００９４】
図８は他の例のサイズ調節部４０Ｂを示す拡大図であり、詳しくは、図８（ａ）は巻付け帯２０の巻付け長さを可変調節する前の状態を示す拡大図、図８（ｂ）は巻付け帯２０の巻付け長さを可変調節した状態を示す拡大図である。
【００９５】
サイズ調節部４０Ｂは、帽子本体１１における巻付け帯２０の一端側端部２０ｂに形成した三角形状を有する複数の係止孔４３と、他端側端部２０ｂに形成した横向きＴ字状を有する係止片４４とで構成している。係止孔４３は、巻付け帯２０の長手方向Ｘに対して所定間隔を隔てて配置している。
【００９６】
上述の組立て帽子１０を着用する際、帽子本体１１を、着用者Ａの頭部Ａａに巻き付けた状態、あるいは、巻き付ける前の状態において、巻付け帯２０の一端側端部２０ｂに形成した複数のうち一つの係止孔４３に、他端側端部２０ｂに形成した係止片４４を係止するとともに、巻付け帯２０の一端側端部２０ｂと他端側端部２０ｂとを互いに重ね合わせる（図８（ａ）（ｂ）参照）。  
これにより、組立て帽子１０の帽子本体１１を、着用者Ａの頭囲サイズに合わせてぴったり合った状態に巻き付けることができる。
【００９７】
組立て帽子１０の着用時において、組立て帽子１０の位置や向きが変位することを防止でき、所望する着用状態を保つことができるため、前記実施形態と略同等の作用、及び効果を奏することができる。
【００９８】
さらに、巻付け帯２０の一端側端部２０ｂに形成した複数の係止孔４３から選択した一つの係止孔４３に、他端側端部２０ｂに形成した係止片４４を係止するので、巻付け帯２０の巻付け長さを、着用者Ａの頭囲サイズに合わせて段階的に可変調節することができる。
【００９９】
図９はその他の例のサイズ調節部４０Ｃを示す拡大図であり、詳しくは、図９（ａ）は巻付け帯２０の巻付け長さを可変調節する前の状態を示す拡大図、図９（ｂ）は巻付け帯２０の巻付け長さを可変調節した状態を示す拡大図である。
【０１００】
サイズ調節部４０Ｃは、帽子本体１１における巻付け帯２０の一端側端部２０ｂ表面に装着したループを有する雌側テープ４５と、他端側端部２０ｂ裏面に装着したフックを有する雄側テープ４６とからなる面ファスナー４７で構成している。
【０１０１】
上述の組立て帽子１０を着用する際、帽子本体１１を、着用者Ａの頭部Ａａに巻き付けた状態、あるいは、巻き付ける前の状態において、巻付け帯２０の一端側端部２０ｂに装着した雌側テープ４５と、他端側端部２０ｂに装着した雄側テープ４６とを互いに貼り合わせる（図９（ａ）（ｂ）参照）。  
これにより、組立て帽子１０の帽子本体１１を、着用者Ａの頭囲サイズに合わせてぴったり合った状態に巻き付けることができる。
【０１０２】
組立て帽子１０の着用時において、組立て帽子１０の位置や向きが変位することを防止でき、所望する着用状態を保つことができるため、前記実施形態と略同等の作用、及び効果を奏することができる。
【０１０３】
さらに、雌側テープ４５と雄側テープ４６との貼着が許容される範囲であれば、その範囲と対応する長さだけ、雌側テープ４５と雄側テープ４６とを長手方向Ｘに変位させて互いに貼り合わせることができるので、巻付け帯２０の巻付け長さを、着用者Ａの頭囲サイズに合わせて無段階に可変調節することができる。
【０１０４】
図１０はその他の例のサイズ調節部４０Ｄを示す拡大図であり、詳しくは、図１０（ａ）は巻付け帯２０の巻付け長さを可変調節する前の状態を示す拡大図、図１０（ｂ）は巻付け帯２０の巻付け長さを可変調節した状態を示す拡大図である。
【０１０５】
サイズ調節部４０Ｄは、帽子本体１１における巻付け帯２０の一端側端部２０ｂ上縁部に形成した複数の上向き切欠き部４８と、他端側端部２０ｂ下縁部に形成した複数の下向き切欠き部４９とで構成している。
【０１０６】
上向き切欠き部４８は、巻付け帯２０における一端側端部２０ｂの上縁部を長手方向Ｘと直交して上向きに切り欠いて形成している。  
下向き切欠き部４９は、巻付け帯２０における他端側端部２０ｂの下縁部を長手方向Ｘと直交して下向きに切り欠いて形成している。  
上向き切欠き部４８、及び下向き切欠き部４９は、互いに係止が許容される形状に形成され、巻付け帯２０の長手方向Ｘに対して所定間隔を隔てて配置している（図１０（ａ）参照）。
【０１０７】
上述の組立て帽子１０を着用する際、帽子本体１１を、着用者Ａの頭部Ａａに巻き付けた状態、あるいは、巻き付ける前の状態において、巻付け帯２０の一端側端部２０ｂに形成した一つの上向き切欠き部４８を、他端側端部２０ｂに形成した一つの下向き切欠き部４９に係止するとともに、巻付け帯２０の一端側端部２０ｂと他端側端部２０ｂとを互いに重ね合わせる（図１０（ｂ）参照）。  
これにより、組立て帽子１０の帽子本体１１を、着用者Ａの頭囲サイズに合わせてぴったり合った状態に巻き付けることができる。
【０１０８】
組立て帽子１０の着用時において、組立て帽子１０の位置や向きが変位することを防止でき、所望する着用状態を保つことができるため、前記実施形態と略同等の作用、及び効果を奏することができる。
【０１０９】
さらに、巻付け帯２０の一端側端部２０ｂに形成した複数の上向き切欠き部４８から選択した一つの上向き切欠き部４８と、他端側端部２０ｂに形成した複数の下向き切欠き部４９から選択した一つの下向き切欠き部４９とを互いに係止するので、巻付け帯２０の巻付け長さを、着用者Ａの頭囲サイズに合わせて段階的に可変調節することができる。
【０１１０】
上述の他の例におけるサイズ調節部４０Ｂ，４０Ｃ，４０Ｄを採用した際、巻付け帯２０に付設した目盛り２０ｄを目安にして巻付け長さを調節すれば、巻付け帯２０を巻き付けた状態だけでなく、巻き付ける前の状態においても、巻付け帯２０の巻付け長さを、着用者Ａの頭囲サイズに合わせてより正確に可変調節することができる。
【０１１１】
続いて、上述の庇部３０における開口部５０の前側開口縁部５０ａと、巻付け帯２０における開口部５０の後側開口縁部５０ｂとを互いに重ね合わせた状態に固定した他の例の組立て帽子１０について説明する。  
図１１はさらに他の例の巻付け帯２０と庇部３０との重ね合わせ部分を固定した組立て帽子１０の斜視図である。
【０１１２】
詳述すると、本実施形態の組立て帽子１０を帽子形態に組み立てる際、前方から見て略弧状に変形した庇部３０における開口部５０の前側開口縁部５０ａと、巻付け帯２０における開口部５０の後側開口縁部５０ｂとを互いに重ね合わせる。  
その際、開口部５０の前側開口縁部５０ａと後側開口縁部５０ｂとの重ね合わせ面を接着剤６０にて一体に接着固定して、所望の帽子形態に組み立てる（図１１、及びａ部拡大図参照）。
【０１１３】
これにより、組立て済みの組立て帽子１０を被る際、庇部３０における開口部５０の前側開口縁部５０ａと、巻付け帯２０における開口部５０の後側開口縁部５０ｂとの重ね合わせ部分が離間することを確実に防止でき、所望の帽子形態に組み立てた状態を保つことができる。  
この結果、組立て帽子１０が被りやすく、所望の被りやすい帽子形態に保ったまま着用することができる。
【０１１４】
この発明の構成と、前記実施形態との対応において、  
この発明のサイズ調節手段は、実施形態のサイズ調節部４０Ａ，４０Ｂ，４０Ｃ，４０Ｄに対応し、  
以下同様に、  
密着回避部は、開口部５０に対応し、  
庇部と対応する側の部分は、開口部５０の前側開口縁部５０ａに対応し、  
巻付け帯と対応する側の部分は、開口部５０の後側開口縁部５０ｂに対応し、  
重ね合わせ部固定手段は、接着剤６０に対応するも、  
この発明は、上述の実施形態の構成のみに限定されるものではなく、請求項に示される技術思想に基づいて応用することができ、多くの実施の形態を得ることができる。
【０１１５】
本実施形態における延出部２０２，２０３，２０４は、実施形態の大きさ、形状、長さ、及び枚数に限定されるものではなく、実施形態以外の大きさ、形状、長さ、及び枚数に変更してもよい。
【０１１６】
巻付けシート２０の幅は、シートを構成する材質の物性、厚さ、強度、庇部の大きさ、デザイン、帽子の大きさ等々に応じて変更することができる。  
巻付けシート２０は長尺であるため、保管や包装に問題が生じる場合、長手方向Ｘにおける適当な位置に折り曲げ罫線を付設して、短尺サイズに折り曲げ可能に構成してもよい。  
また、庇部３０を、巻付け帯２０における中央部２０ａよりも一方の端部２０ｂ側、あるいは帯部２０１側に寄った前方Ｙａ側縁部に連設してもよい。
【符号の説明】
【０１１７】
Ａ…着用者
Ａａ…頭部
Ａｂ…額部
Ｘ…長手方向
Ｙ…前後方向
Ｋ１，Ｋ２，Ｋ３…折り曲げ罫線
１０…組立て帽子
１２…連設部分
２０…巻付け帯
２０ａ…中央部
２０ｂ…端部
２０ｃ…切り込み部
２０ｄ…目盛り
２０１…帯部
２０２，２０３，２０４…延出部
３０…庇部
４０Ａ，４０Ｂ，４０Ｃ，４０Ｄ…サイズ調節部
４１…輪ゴム
４３…係止孔
４４…係止片
４７…面ファスナー
４８…上向き切欠き部
４９…下向き切欠き部
５０…開口部
【図１】
2015140486.tif 000003
【図２】
2015140486.tif 000004
【図３】
2015140486.tif 000005
【図４】
2015140486.tif 000006
【図５】
2015140486.tif 000007
【図６】
2015140486.tif 000008
【図７】
2015140486.tif 000009
【図８】
2015140486.tif 000010
【図９】
2015140486.tif 000011
【図１０】
2015140486.tif 000012
【図１１】
2015140486.tif 000013